(57)【要約】【課題】ことばのコンテンツの作成過程の理解を助けるための情報を提供すること。【解決手段】本願の開示する映像コンテンツ表示プログラムは、表示ステップをコピュータに実行させるためのプログラムである。コンピュータは、複数の利用者によって共有される、複数の文字情報を含んだことばのコンテンツと、各利用者によって生成された、ことばのコンテンツに含まれる複数の文字情報を所定の単位で区切った情報と所定の単位で区切られた複数の文字情報それぞれに割当てられた画像データとを対応付けた映像コンテンツとを対応付けて記憶する記憶部を備える。表示ステップは、ことばのコンテンツの表示指示をいずれかの利用者から受付けた場合、記憶部が記憶することばのコンテンツを当該利用者が利用する端末の表示部に表示するとともに、各利用者によって生成された映像コンテンツを、表示部において、ことばのコンテンツの近傍に表示する。【選択図】図１
2014089515.tif 000002
【特許請求の範囲】
【請求項１】
コンピュータに実行させるための映像コンテンツ表示プログラムであって、
前記コンピュータは、複数の利用者によって共有される、複数の文字情報を含んだことばのコンテンツと、各利用者によって生成された、当該ことばのコンテンツに含まれる複数の文字情報を所定の単位で区切った情報と所定の単位で区切られた前記複数の文字情報それぞれに割当てられた画像データとを対応付けた映像コンテンツとを対応付けて記憶する記憶部を備え、
前記ことばのコンテンツの表示指示をいずれかの利用者から受付けた場合、前記記憶部が記憶することばのコンテンツを当該利用者が利用する端末の表示部に表示するとともに、前記各利用者によって生成された映像コンテンツを、当該表示部において、当該ことばのコンテンツの近傍に表示する表示ステップ
をコンピュータに実行させるための映像コンテンツ表示プログラム。
【請求項２】
前記記憶部は、利用者ごとに、所定の単位で区切られた文字情報と、当該所定の単位で区切られた文字情報に割当てられた画像データとを対応付けた情報を更に記憶し、
前記表示ステップは、前記所定の単位で区切られた文字情報に画像が割当られていない場合、前記記憶部が記憶する、所定の単位で区切られた文字情報と当該所定の単位で区切られた文字情報に割当てられた画像データとを対応付けた情報に基づいて、当該画像が割当られていない文字情報に画像を補完する
ことをコンピュータに実行させるための請求項１に記載の映像コンテンツ表示プログラム。
【請求項３】
前記表示ステップによって前記利用者が利用する端末の表示部において当該ことばのコンテンツの近傍に表示された、前記所定の単位で区切った情報及び当該所定の単位で区切られた文字情報それぞれに割当てられた画像を、当該所定の単位で区切られた文字情報ごとに前記各利用者によって割当てられた画像をまとめた情報に切替える切替えステップを
更にコンピュータに実行させるための請求項１又は２に記載の映像コンテンツ表示プログラム。
【請求項４】
複数の利用者によって共有される、複数の文字情報を含んだことばのコンテンツと、各利用者によって生成された、当該ことばのコンテンツに含まれる複数の文字情報を所定の単位で区切った情報と所定の単位で区切られた前記複数の文字情報それぞれに割当てられた画像データとを対応付けた映像コンテンツとを対応付けて記憶する記憶部と、
前記ことばのコンテンツの表示指示をいずれかの利用者から受付けた場合、前記記憶部が記憶することばのコンテンツを当該利用者が利用する端末の表示部に表示するとともに、前記各利用者によって生成された映像コンテンツを、当該表示部において、当該ことばのコンテンツの近傍に表示する表示制御部と
を有することを特徴とする映像コンテンツ表示装置。
【発明の詳細な説明】
【技術分野】
【０００１】
本発明の実施形態は、映像コンテンツ表示プログラム及び映像コンテンツ表示装置に関する。
【背景技術】
【０００２】
従来、文学、新聞・雑誌等の記事及びブログ等の言葉で構成されたコンテンツ（以下、適宜「ことばのコンテンツ」と記載する）に、Ｗｅｂサイト上やネットワークを介してアクセスが可能である。
【０００３】
また、ことばのコンテンツ中の各ことばを視覚的なメディア（絵、イラスト、マンガ、写真、動画、など）ででも表示すること（ビジュアル化）により、ことばのコンテンツの読者によることばの理解や想像を補助する技術が提案されている。なお、ビジュアル化された「ことばのコンテンツ」のことを「映像コンテンツ」と呼ぶ。
【先行技術文献】
【特許文献】
【０００４】
【特許文献１】特開２００９−２３０２５４号公報
【発明の概要】
【発明が解決しようとする課題】
【０００５】
上述した従来の技術は、情報提供サーバを設け、そこにことばをビジュアル化する材料を保存しておき、読者等の要求に対応して映像コンテンツを作成し提供している。しかし、ことばのコンテンツの利用者が、他の利用者が作成した多種多様な映像コンテンツの閲覧を望む場合、従来の技術で提供される情報だけでは満足できない場合があると想定される。
【０００６】
開示の技術は、上記に鑑みてなされたものであって、複数の映像コンテンツを利用者等に表示する仕組みを提供することができる映像コンテンツ表示プログラム及び映像コンテンツ表示装置を提供する。
【０００７】
開示の技術によって、ことばのコンテンツの利用者等は、ひとつのことばのコンテンツに対して多種多様な映像コンテンツを閲覧することで、自分とは違う多種多様な読者の世界観を観賞でき、ことばのコンテンツの楽しみ方が増える。
【課題を解決するための手段】
【０００８】
本願の開示する映像コンテンツ表示プログラムは、一つの態様において、表示ステップをコンピュータに実行させるためのプログラムである。前記コンピュータは、複数の利用者によって共有される、複数の文字情報を含んだことばのコンテンツと、各利用者によって生成された、当該ことばのコンテンツに含まれる複数の文字情報を所定の単位で区切った情報と所定の単位で区切られた前記複数の文字情報それぞれに割当てられた画像データとを対応付けた映像コンテンツとを対応付けて記憶する記憶部を備える。表示ステップは、前記ことばのコンテンツの表示指示をいずれかの利用者から受付けた場合、前記記憶部が記憶することばのコンテンツを当該利用者が利用する端末の表示部に表示するとともに、前記各利用者によって生成された映像コンテンツを、当該表示部において、当該ことばのコンテンツの近傍に表示する。
【発明の効果】
【０００９】
本願の開示する映像コンテンツ表示プログラム及び映像コンテンツ表示装置の一つの態様によれば、複数の映像コンテンツを利用者等に表示する仕組みを提供することができるという効果を奏する。
【図面の簡単な説明】
【００１０】
【図１】図１は、第１の実施の形態に係る映像コンテンツ表示装置を有する映像コンテンツ表示システムの構成の一例を示すブロック図である。
【図２】図２は、ことばのコンテンツリストテーブルのデータ構造の一例を示す図である。
【図３】図３は、映像コンテンツリストテーブルのデータ構造の一例を示す図である。
【図４】図４は、ことば−画像テーブルが記憶するデータ構造の一例を示す図である。
【図５】図５は、画像データテーブルが記憶するデータ構造の一例を示す図である。
【図６Ａ】図６Ａは、第１の実施の形態に係る映像コンテンツ表示装置による処理動作の一例を示す図である。
【図６Ｂ】図６Ｂは、第１の実施の形態に係る映像コンテンツ表示装置による処理動作の一例を示す図である。
【図６Ｃ】図６Ｃは、第１の実施の形態に係る映像コンテンツ表示装置による処理動作の一例を示す図である。
【図６Ｄ】図６Ｄは、第１の実施の形態に係る映像コンテンツ表示装置による処理動作の一例を示す図である。
【図６Ｅ】図６Ｅは、第１の実施の形態に係る映像コンテンツ表示装置による処理動作の一例を示す図である。
【図７】図７は、第１の実施の形態に係る映像コンテンツ表示装置による処理手順を示すフローチャートである。
【図８】図８は、表示制御部によって映像コンテンツを表示する一例を示す図である。
【図９】図９は、第２の実施の形態に係る映像コンテンツ表示装置の構成の一例を示す機能ブロック図である。
【図１０】図１０は、表示制御部による処理動作の一例を示す図である。
【図１１Ａ】図１１Ａは、表示画像切替部による「一括表示」が選択された場合の処理動作の一例を示す図である。
【図１１Ｂ】図１１Ｂは、表示画像切替部による「分類表示」が選択された場合の処理動作の一例を示す図である。
【図１２】図１２は、第２の実施の形態に係る映像コンテンツ表示装置による処理手順を示すフローチャートである。
【図１３】図１３は、画像補完処理の処理手順を示すフローチャートである。
【図１４】図１４は、開示の技術に係る映像コンテンツ表示プログラムによる情報処理がコンピュータを用いて具体的に実現されることを示す図である。
【発明を実施するための形態】
【００１１】
以下に、本願の開示する映像コンテンツ表示プログラム及び映像コンテンツ表示装置の実施例を図面に基づいて詳細に説明する。なお、この実施例によりこの発明が限定されるものではない。
【００１２】
（第１の実施の形態）
第１の実施の形態に係る映像コンテンツ表示装置は、「ことばのコンテンツ」から「映像コンテンツ」を生成する。なお、ここでいう「ことばのコンテンツ」とは、文学や、新聞・雑誌等の記事、ブログなどの文字を用いた複数の文字情報で構成される文や文章のことである。「映像コンテンツ」とは、ことばのコンテンツに含まれる複数の文字情報に対して画像を割当てビジュアル化したコンテンツのことである。
【００１３】
［第１の実施の形態に係る映像コンテンツ表示システム５０の構成］
図１を用いて、第１の実施の形態に係る映像コンテンツ表示装置１００を有する映像コンテンツ表示システム５０について説明する。図１は、第１の実施の形態に係る映像コンテンツ表示装置１００を有する映像コンテンツ表示システム５０の構成の一例を示すブロック図である。
【００１４】
図１に示すように、映像コンテンツ表示システム５０は、クライアント端末６０ａ〜６０ｃと、映像コンテンツ表示装置１００とを有する。また、映像コンテンツ表示システム５０において、映像コンテンツ表示装置１００は、ＬＡＮ（Local  Area  Network）等のネットワーク８０を介して、クライアント端末６０ａ〜６０ｃと通信可能に接続される。なお、クライアント端末６０ａ〜６０ｃを一般化してクライアント端末６０と称する場合がある。また、映像コンテンツ表示装置１００に接続されるクライアント端末６０の数は、図１に示した数に限定されるものではない。
【００１５】
クライアント端末６０は、入力部６１と、表示部６２と、通信制御部６３と、記憶部６４と、制御部６５とを有する。
【００１６】
入力部６１は、例えば、キーボードやマウス等であり、「ことばのコンテンツ」等各種の情報の入力を利用者から受付ける。表示部６２は、例えば、モニタ（若しくはディスプレイ、タッチパネル）であり、後述する表示制御部１２５からの指示を受けて、「ことばのコンテンツ」を表示する。なお、表示部６２は、入力部６１が備えるマウスと協働してポインティングディバイス機能を実現する。
【００１７】
通信制御部６３は、ネットワーク８０を介して接続された映像コンテンツ表示装置１００との各種情報の送受信を制御する。記憶部６４は、例えば、ＲＡＭ（Random  Access  Memory）などの半導体メモリ素子、またはハードディスクなどの記憶装置であり、各種情報を記憶する。制御部６５は、ＣＰＵ（Central  Processing  Unit）やＭＰＵ（Micro  Processing  Unit）などの電子回路であり、各種処理の実行を制御する。
【００１８】
続いて、図１を用いて、第１の実施の形態に係る映像コンテンツ表示装置１００の構成を説明する。図１に示すように、本実施形態に係る映像コンテンツ表示装置１００は、入力部１０１と、表示部１０２と、通信制御部１０３と、記憶部１１０と、制御部１２０とを有する。
【００１９】
入力部１０１は、例えば、キーボードやマウス等であり、「ことばのコンテンツ」等各種の情報の入力を受付ける。表示部１０２は、例えば、モニタ（若しくはディスプレイ、タッチパネル）であり、後述する表示制御部１２５からの指示を受けて、「ことばのコンテンツ」を表示する。なお、表示部１０２は、入力部１０１が備えるマウスと協働してポインティングディバイス機能を実現する。
【００２０】
通信制御部１０３は、ネットワーク８０を介して接続されたクライアント端末６０との各種情報の送受信を制御する。
【００２１】
記憶部１１０は、例えば、ＲＡＭなどの半導体メモリ素子、またはハードディスクなどの記憶装置であり、ことばのコンテンツリストテーブル１１１と、映像コンテンツリストテーブル１１２と、ことば−画像テーブル１１３と、画像データテーブル１１４とを有する。
【００２２】
ことばのコンテンツリストテーブル１１１は、作成者によって作成されたことばのコンテンツのリストを記憶する。なお、ことばのコンテンツリストテーブル１１１が記憶するデータ構造については、図２を用いて後述する。
【００２３】
映像コンテンツリストテーブル１１２は、ことばのコンテンツに対応付けて、ビジュアル化されたことばのコンテンツである映像コンテンツのリストを記憶する。なお、映像コンテンツリストテーブル１１２が記憶するデータ構造については、図３を用いて後述する。
【００２４】
ことば−画像テーブル１１３は、ことばのコンテンツに含まれる所定の単位で区切られた文字情報に対応付けられる画像を記憶する。なお、ことば−画像テーブル１１３が記憶するデータ構造については、図４を用いて後述する。
【００２５】
画像データテーブル１１４は、画像データと、画像データがイラストであるか写真であるかを示す情報とを対応付けた情報を記憶する。なお、画像データテーブル１１４が記憶するデータ構造については、図５を用いて後述する。
【００２６】
制御部１２０は、ＣＰＵやＭＰＵなどの電子回路であり、区切り部１２１と、画像割当部１２２と、映像コンテンツ生成部１２３（生成部とも言う）と、映像コンテンツ保存部１２４（保存部とも言う）と、表示制御部１２５とを有する。
【００２７】
区切り部１２１は、ことばのコンテンツに含まれる複数の文字情報を、所定の単位で区切る指定を受付けて、文字情報を所定の単位で区切る。ここで、区切り部１２１は、利用者の主観に基づいた区切る指定を受付ける。なお、区切り部１２１による処理動作については、図６Ｂを用いて後述する。
【００２８】
画像割当部１２２は、所定の単位で区切られた複数の文字情報それぞれに、画像データを割当てる指定を受付けて、所定の単位で区切られた複数の文字情報それぞれに画像データを割当てる。なお、画像割当部１２２による処理動作については、図６Ｃを用いて後述する。
【００２９】
映像コンテンツ生成部１２３は、所定の単位で区切られた文字情報と、所定の単位で区切られた文字情報それぞれに割当てられた画像とを対応付けた映像コンテンツを生成する。なお、映像コンテンツ生成部１２３による処理動作については、図６Ｄを用いて後述する。
【００３０】
映像コンテンツ保存部１２４は、各利用者によって生成された映像コンテンツをことばのコンテンツに対応付けて記憶部１１０に保存する。例えば、映像コンテンツ保存部１２４は、映像コンテンツ生成部１２３によって生成された映像コンテンツを映像コンテンツリストテーブル１１２に格納する。
【００３１】
映像コンテンツ保存部１２４は、更に、利用者ごとに、所定の単位で区切られた文字情報と、当該所定の単位で区切られた文字情報に割当てられた画像データとを対応付けた情報を生成し、記憶部１１０に保存する。
【００３２】
表示制御部１２５は、複数の利用者によって共有されることばのコンテンツの表示指示をいずれかの利用者から受付けた場合、記憶部１１０が記憶することばのコンテンツを利用者が利用するクライアント端末６０の表示部６２に表示させる。
【００３３】
例えば、表示制御部１２５は、ことばのコンテンツの表示要求をことばのコンテンツの利用者から受付けたと判定した場合、ことばのコンテンツのリストを利用者が使用するクライアント端末６０の表示部６２に表示する。
【００３４】
そして、表示制御部１２５は、いずれかのことばのコンテンツの選択を利用者から受付けたと判定した場合、選択されたことばのコンテンツを利用者が使用するクライアント端末６０の表示部６２に表示する。
【００３５】
また、表示制御部１２５は、ことばのコンテンツの表示指示をいずれかの利用者から受付けた場合、記憶部が記憶することばのコンテンツを利用者が利用する端末の表示部に表示するとともに、各利用者によって、ことばのコンテンツに含まれる複数の文字情報を所定の単位で区切られた情報を、利用者が利用する端末の表示部６２においてことばのコンテンツの近傍に表示する。
【００３６】
［記憶部１１０が有する情報のデータ構造］
次に、図２〜図５を用いて、記憶部１１０が記憶する情報のデータ構造を説明する。ここでは、図２を用いて、ことばのコンテンツリストテーブル１１１のデータ構造を説明し、図３を用いて、映像コンテンツリストテーブル１１２のデータ構造を説明する。また、図４を用いて、ことば−画像テーブル１１３のデータ構造を説明し、図５を用いて、画像データテーブル１１４のデータ構造を説明する。
【００３７】
図２は、ことばのコンテンツリストテーブル１１１のデータ構造の一例を示す図である。図２に示すように、ことばのコンテンツリストテーブル１１１は、「コンテンツＩＤ（Identifier）」と、「コンテンツ」とを対応付けた情報を記憶する。
【００３８】
ここで、ことばのコンテンツリストテーブル１１１が記憶する「コンテンツＩＤ」は、ことばのコンテンツの識別子を示す。例えば、「コンテンツＩＤ」には、「１」、「２」等のデータ値が格納される。
【００３９】
また、ことばのコンテンツリストテーブル１１１が記憶する「コンテンツ」は、ことばのコンテンツに含まれる複数の文字情報を示す。例えば、「コンテンツ」には、「窓の外は、冷たい雨が降りしきっていた。」等のデータ値が格納される。
【００４０】
一例をあげると、図２に示すことばのコンテンツリストテーブル１１１は、コンテンツＩＤが「１」であることばのコンテンツが「わたしは、朝食でミルクを飲んだ。」であることを示す。また、図２に示すことばのコンテンツリストテーブル１１１は、コンテンツＩＤが「２」であることばのコンテンツが「窓の外は、冷たい雨が降りしきっていた。」であることを示す。
【００４１】
図３は、映像コンテンツリストテーブル１１２のデータ構造の一例を示す図である。図３に示すように、映像コンテンツリストテーブル１１２は、「コンテンツＩＤ」と、「利用者ＩＤ」と、「区切り情報」と、「画像ＩＤ」とを対応付けた情報を記憶する。
【００４２】
ここで、映像コンテンツリストテーブル１１２が記憶する「コンテンツＩＤ」は、ことばのコンテンツの識別子を示す。例えば、「コンテンツＩＤ」には、「１」、「２」等のデータ値が格納される。
【００４３】
また、映像コンテンツリストテーブル１１２が記憶する「利用者ＩＤ」は、ことばのコンテンツの利用者の識別子を示す。例えば、「利用者ＩＤ」には、「１」、「２」等のデータ値が格納される。
【００４４】
また、映像コンテンツリストテーブル１１２が記憶する「区切り情報」は、所定の単位で区切られた文字情報を示す。例えば、「区切り情報」には、「わたしは、」、「朝食で」、「ミルクを」等のデータ値が格納される。
【００４５】
また、映像コンテンツリストテーブル１１２が記憶する「画像ＩＤ」は、画像データの識別子を示す。例えば、「画像ＩＤ」には、「１」、「２」等のデータ値が格納される。
【００４６】
一例をあげると、図３に示す映像コンテンツリストテーブル１１２は、「利用者ＩＤ」が「１」で識別される利用者は、コンテンツＩＤが「１」で識別されることばのコンテンツを、「わたしは、」、「朝食で」、「ミルクを」及び「飲んだ。」に区切ったことを示す。また、図３に示す映像コンテンツリストテーブル１１２は、「利用者ＩＤ」が「１」で識別される利用者は、「わたしは、」に、画像ＩＤが「１２」で識別される画像を対応付け、「ミルクを」に、画像ＩＤが「１」で識別される画像を対応付けたことを示す。なお、図３に示す例では、映像コンテンツリストテーブル１１２は、「朝食で」及び「飲んだ。」に画像を対応付けていないことを示す。
【００４７】
図４は、ことば−画像テーブル１１３が記憶するデータ構造の一例を示す図である。図４に示すように、ことば−画像テーブル１１３は、「利用者ＩＤ」と、「区切り情報」と、「画像ＩＤ」とを対応付けた情報を記憶する。なお、ことば−画像テーブル１１３が記憶する「利用者ＩＤ」、「区切り情報」及び「画像ＩＤ」は、映像コンテンツリストテーブル１１２が記憶する「利用者ＩＤ」、「区切り情報」及び「画像ＩＤ」と同様である。
【００４８】
一例をあげると、図４に示すことば−画像テーブル１１３は、「利用者ＩＤ」が「１」で識別される利用者は、区切り情報「ミルクを」に、画像ＩＤが「１」と「２０」の画像を対応付けたことを示す。このように、同一の利用者によって、同一の区切り情報に対して異なる画像が対応付けられる場合がある。このような場合、例えば、「利用者ＩＤ」が「１」で識別される利用者は、コンテンツＩＤが「１」で識別されることばのコンテンツにおいて、区切り情報「ミルクを」に画像ＩＤが「１」の画像を対応付け、コンテンツＩＤが「１」以外のいずれかのことばのコンテンツに含まれる「ミルクを」に画像ＩＤが「２０」の画像を対応付けたことを示す。
【００４９】
図５は、画像データテーブル１１４が記憶するデータ構造の一例を示す図である。図５に示すように、画像データテーブル１１４は、「画像ＩＤ」と、「画像データ」と、「分類」とを対応付けた情報を記憶する。
【００５０】
ここで、画像データテーブル１１４が記憶する「画像ＩＤ」は、映像コンテンツリストテーブル１１２が記憶する「画像ＩＤ」と同様である。また、画像データテーブル１１４が記憶する「画像データ」は、画像データのデータ値を示す。
【００５１】
また、画像データテーブル１１４が記憶する「分類」は、画像データがイラストであるか写真であるかを示す情報である。ここで、「イラスト」には、作成者によって作成された手書きのイラストをスキャナー等で読込んだ画像データや作成者がコンピュータ上で作成した画像データを含む。例えば、「分類」には、画像データが写真であることを示す「１」又は画像データがイラストであることを示す「０」が格納される。
【００５２】
一例をあげると、図５に示す画像データテーブル１１４は、「画像ＩＤ」が「１」で識別される画像の画像データが写真であり、「画像ＩＤ」が「２」で識別される画像の画像データがイラストであることを示す。
【００５３】
［映像コンテンツ表示装置１００による処理動作］
次に、図６Ａから図６Ｅを用いて、映像コンテンツ表示装置１００による処理動作を説明する。図６Ａから図６Ｅは、第１の実施の形態に係る映像コンテンツ表示装置１００による処理動作の一例を示す図である。
【００５４】
まず、表示制御部１２５は、ことばのコンテンツの表示指示をいずれかの利用者から受付けた場合、記憶部１１０のことばのコンテンツリストテーブル１１１が記憶することばのコンテンツを利用者が利用するクライアント端末６０の表示部６２に表示する。図６Ａに示す例では、表示制御部１２５は、ことばのコンテンツ「わたしは、朝食でミルクを飲んだ。」を利用者が利用するクライアント端末６０の表示部６２に表示する。そして、表示制御部１２５は、映像コンテンツリストテーブル１１２を参照して、各利用者によって、ことばのコンテンツに含まれる複数の文字情報を所定の単位で区切られた情報６ａを、利用者が利用する端末の表示部６２においてことばのコンテンツの近傍に表示する。
【００５５】
続いて、区切り部１２１は、ことばのコンテンツに含まれる複数の文字情報を、所定の単位で区切る指定を受付けて、文字情報を所定の単位で区切る。図６Ｂに示す例では、区切り部１２１は、ことばのコンテンツに含まれる「わたしは」を区切る指定を受付ける。
【００５６】
そして、画像割当部１２２は、所定の単位で区切られた複数の文字情報それぞれに、画像データを割当てる指定を受付けて、当該所定の単位で区切られた複数の文字情報それぞれに画像データを割当てる。図６Ｃに示す例では、画像割当部１２２は、「わたしは」に猫の画像６ｂを重ねる。
【００５７】
続いて、映像コンテンツ生成部１２３は、所定の単位で区切られた文字情報と、所定の単位で区切られた文字情報それぞれに割当てられた画像とを対応付けた映像コンテンツを生成する。図６Ｄに示す例では、映像コンテンツ生成部１２３は、「わたしは」の隣に、ビジュアル化の状態を表示するとともに、「わたしは」と猫の画像６ｂとを対応付けた映像コンテンツ６ｃを生成する。
【００５８】
そして、区切り部１２１、画像割当部１２２及び映像コンテンツ生成部１２３は、図６Ｂから図６Ｄに示した処理動作を繰り返し実行する。この結果、図６Ｅに示す映像コンテンツが生成される。図６Ｅに示す映像コンテンツでは、「わたしは」に猫の画像６ｂが割当てられ、「ミルクを」に牛の画像６ｄが割当てられる。続いて、映像コンテンツ保存部１２４は、生成された映像コンテンツをことばのコンテンツに対応付けて記憶部１１０の映像コンテンツリストテーブル１１２に保存する。
【００５９】
［第１の実施の形態に係る映像コンテンツ表示装置１００による処理の処理手順］
次に図７を用いて、第１の実施の形態に係る映像コンテンツ表示装置１００による処理の処理手順を説明する。図７は、第１の実施の形態に係る映像コンテンツ表示装置１００による処理手順を示すフローチャートである。
【００６０】
図７に示すように、表示制御部１２５は、ことばのコンテンツの表示要求をことばのコンテンツの利用者から受付けたか否かを判定する（ステップＳ１０１）。表示制御部１２５は、ことばのコンテンツの表示要求をことばのコンテンツの利用者から受付けたと判定した場合（ステップＳ１０１、Ｙｅｓ）、ことばのコンテンツのリストを利用者が使用するクライアント端末６０の表示部６２に表示する（ステップＳ１０２）。なお、表示制御部１２５は、ことばのコンテンツの表示要求をことばのコンテンツの利用者から受付けたと判定しなかった場合（ステップＳ１０１、Ｎｏ）、引き続きことばのコンテンツの表示要求をことばのコンテンツの利用者から受付けたか否かを判定する（ステップＳ１０１）。
【００６１】
そして、表示制御部１２５は、表示部６２に表示したことばのコンテンツリストテーブル１１１からいずれかのことばのコンテンツの選択を利用者から受付けたか否かを判定する（ステップＳ１０３）。ここで、表示制御部１２５は、いずれかのことばのコンテンツの選択を利用者から受付けたと判定した場合（ステップＳ１０３、Ｙｅｓ）、選択されたことばのコンテンツを利用者が使用するクライアント端末６０の表示部６２に表示する（ステップＳ１０４）。なお、表示制御部１２５は、ことばのコンテンツの選択を利用者から受付けたと判定しなかった場合（ステップＳ１０３、Ｎｏ）、引き続き、ことばのコンテンツの選択を利用者から受付けたか否かを判定する（ステップＳ１０３）。
【００６２】
続いて、表示制御部１２５は、他の利用者の区切り情報を表示する（ステップＳ１０５）。そして、区切り部１２１は、ビジュアル化することばの範囲の指定を受付けたか否かを判定する（ステップＳ１０６）。ここで、区切り部１２１は、ビジュアル化することばの範囲の指定を受付けたと判定した場合（ステップＳ１０６、Ｙｅｓ）、ことばのコンテンツにおいて、指定された範囲のことばに区切り情報を重ねて表示する（ステップＳ１０７）。なお、区切り部１２１は、ビジュアル化することばの範囲の指定を受付けたと判定しなかった場合（ステップＳ１０６、Ｎｏ）、引き続き、ビジュアル化することばの範囲の指定を受付けたか否かを判定する（ステップＳ１０６）。
【００６３】
続いて、画像割当部１２２は、区切り情報に画像の割当を受付けたか否かを判定する（ステップＳ１０８）。画像割当部１２２は、区切り情報に画像の割当を受付けたと判定した場合（ステップＳ１０８、Ｙｅｓ）、区切り情報と、区切り情報に割当てた画像とを対応付けて仮保存する（ステップＳ１０９）。なお、画像割当部１２２は、区切り情報に画像の割当を受付けたと判定しなかった場合（ステップＳ１０８、Ｎｏ）、引き続き、区切り情報に画像の割当を受付けたか否かを判定する（ステップＳ１０８）。
【００６４】
そして、映像コンテンツ生成部１２３は、ステップＳ１０９の後、ことばのコンテンツの近傍にビジュアル化の状態を表示する（ステップＳ１１０）。例えば、映像コンテンツ生成部１２３は、ことばのコンテンツの区切り情報の隣に割当てた画像を表示する。
【００６５】
そして、映像コンテンツ保存部１２４は、利用者から保存を受付けたか否かを判定する（ステップＳ１１１）。ここで、映像コンテンツ保存部１２４によって、利用者から保存を受付けたと判定されなかった場合（ステップＳ１１１、Ｎｏ）、区切り部１２１は、ビジュアル化することばの範囲の指定を受付けたか否かを判定する（ステップＳ１０６）。
【００６６】
一方、映像コンテンツ保存部１２４は、利用者から保存を受付けたと判定した場合（ステップＳ１１１、Ｙｅｓ）、「利用者ＩＤ」と「区切り情報」と「画像」とを対応付けて、映像コンテンツリストテーブル１１２に格納する（ステップＳ１１２）。映像コンテンツ表示装置１００は、ステップＳ１１２の後、処理を終了する。
【００６７】
［第１の実施の形態に係る映像コンテンツ表示装置１００による効果］
上述してきたように、第１の実施の形態に係る映像コンテンツ表示装置１００は、各利用者によって主観にもとづいて生成された映像コンテンツをことばのコンテンツに対応付けて記憶部１１０に保存する。これにより、第１の実施の形態に係る映像コンテンツ表示装置１００によれば、多種多様な利用者が映像コンテンツを持ち寄ることができる。
【００６８】
また、第１の実施の形態に係る映像コンテンツ表示装置１００は、ことばのコンテンツを区切る際に、他の利用者の区切り情報を表示する。これにより、第１の実施の形態に係る映像コンテンツ表示装置１００によれば、映像コンテンツの利用者は、他の利用者の映像コンテンツの作り方を参考にして、映像コンテンツを作成することができる。
【００６９】
他の利用者の作り方を参考にして映像コンテンツを作成することにおいて、例えば似通ったことば映像コンテンツを作成すれば、他の利用者から「あーそういうのもあるね」という共感を得られやすくなる効果が得られる。また、逆に、例えばまるっきり独特なことば映像コンテンツを作成することで、他の利用者から「ほー、そうきたか」という驚きで迎えられるという効果が得られる。
【００７０】
第１の実施の形態に係る映像コンテンツ表示装置１００は、区切り情報に画像以外のデータを対応付けることも可能である。例えば、画像以外のデータの一例として、音声、音楽及び映像等が含まれてもよい。
【００７１】
また、表示制御部１２５は、更に、ことばのコンテンツの表示指示をいずれかの利用者から受付けた場合、記憶部１１０が記憶することばのコンテンツを利用者が利用する端末の表示部６２に表示するとともに、映像コンテンツを表示するようにしてもよい。例えば、表示制御部１２５は、更に、ことばのコンテンツの表示指示をいずれかの利用者から受付けた場合、ことばのコンテンツを表示するとともに、各利用者によって、ことばのコンテンツに含まれる複数の文字情報を所定の単位で区切られた情報及び所定の単位で区切られた文字情報それぞれに割当てられた画像を、利用者が利用する端末の表示部６２においてことばのコンテンツの近傍に表示する。図８を用いて、表示制御部１２５によって映像コンテンツを表示する一例を説明する。
【００７２】
図８は、表示制御部１２５によって映像コンテンツを表示する一例を示す図である。図８に示すように、表示制御部１２５は、ことばのコンテンツ「わたしは、朝食でミルクを飲んだ。」を表示するとともに、映像コンテンツ８ａ、８ｂ及び８ｃをことばのコンテンツの隣に表示する。
【００７３】
このように、第１の実施の形態に係る映像コンテンツ表示装置１００によれば、ことばのコンテンツの利用者は、ことばのコンテンツについての主観的な意見をビジュアル表現で提示することができる。また、第１の実施の形態に係る映像コンテンツ表示装置１００によれば、ことばのコンテンツの利用者は、他の利用者の映像コンテンツと比較するなどして、ひとつのことばのコンテンツを多様に楽しむことができる。
【００７４】
（第２の実施の形態）
第２の実施の形態では、映像コンテンツの表示の変形例について説明する。
【００７５】
［第２の実施の形態に係る映像コンテンツ表示装置２００の構成］
図９を用いて、第２の実施の形態に係る映像コンテンツ表示装置２００の構成を説明する。図９は、第２の実施の形態に係る映像コンテンツ表示装置２００の構成の一例を示す機能ブロック図である。図９に示すように、本実施形態に係る映像コンテンツ表示装置２００は、入力部１０１と、表示部１０２と、通信制御部１０３と、記憶部１１０と、制御部２２０とを有する。なお、図１に示した第１の実施形態に係る映像コンテンツ表示装置１００と同一の機能を有する各構成部については、同一の符号を付与し、詳細な説明を省略する。
【００７６】
制御部２２０は、ＣＰＵやＭＰＵなどの電子回路であり、区切り部１２１と、画像割当部１２２と、映像コンテンツ生成部１２３と、映像コンテンツ保存部１２４と、表示制御部２２５と、表示画像切替部２２６を有する。
【００７７】
表示制御部２２５は、第１の実施形態に係る表示制御部１２５が有する機能に加えて、以下の機能を更に有する。すなわち、表示制御部２２５は、所定の単位で区切られた文字情報に画像が割当られていない場合、記憶部１１０が記憶する、所定の単位で区切られた文字情報と当該所定の単位で区切られた文字情報に割当てられた画像データとを対応付けた情報に基づいて、当該画像が割当られていない文字情報に画像を補完する。なお、表示制御部２２５による処理動作については、図１０を用いて後述する。
【００７８】
表示画像切替部２２６は、表示制御部２２５によって、利用者が利用する端末の表示部６２において、ことばのコンテンツの近傍に表示された、所定の単位で区切った情報及び当該所定の単位で区切られた文字情報それぞれに割当てられた画像を、所定の単位で区切られた文字情報ごとに複数の利用者によって割当てられた画像をまとめた情報に切替える。
【００７９】
例えば、表示画像切替部２２６は、利用者から表示を切替える指示を受付けた場合、切替え表示メニューとして「一括表示」及び「分類表示」を表示し、いずれか一方の選択を利用者から受付ける。ここで、「一括表示」は、イラストと写真とを分類せず一括して表示することを示す。「分類表示」は、イラストと写真とを分類して表示することを示す。
【００８０】
そして、表示画像切替部２２６は、選択された切替えメニューが「一括表示」であると判定した場合、イラストと写真とを分類せず一括して表示する。一方、表示画像切替部２２６は、選択された切替えメニューが「分類表示」であると判定した場合、イラストと写真とを分類して表示する。なお、表示画像切替部２２６による処理動作については、図１１Ａ及び図１１Ｂを用いて後述する。
【００８１】
［映像コンテンツ表示装置２００による処理動作］
次に、図１０、図１１Ａ及び図１１Ｂを用いて、映像コンテンツ表示装置２００による処理動作を説明する。ここでは、図１０を用いて、表示制御部２２５による処理動作の一例を説明し、図１１Ａ及び図１１Ｂを用いて、表示画像切替部２２６による処理動作の一例を説明する。
【００８２】
図１０は、表示制御部２２５による処理動作の一例を示す図である。図１０では、ことばのコンテンツ「わたしは、朝食でミルクを飲んだ。」に対応付けられた映像コンテンツ１０ａ及び１０ｂがことばのコンテンツの隣に表示されており、映像コンテンツ１０ｂの「を飲んだ」に対応する画像を補完する場合を示す。
【００８３】
図１０に示すように、表示制御部２２５は、映像コンテンツ１０ｂの「ミルク」に対応付けられた哺乳瓶の画像１０ｃを特定する。そして、表示制御部２２５は、ことば−画像テーブル１１３を参照し、特定した哺乳瓶の画像１０ｃと対応付けられた「区切り情報」を特定する。ここでは、哺乳瓶の画像１０ｃに対応付けられた「区切り情報」が、「ミルク」、「哺乳瓶」、「赤ちゃん」及び「飲む」である場合を示す。
【００８４】
続いて、表示制御部２２５は、「を飲んだ」と、哺乳瓶の画像１０ｃに対応付けられた「区切り情報」の「飲む」とが一致すると判定する。そして、表示制御部２２５は、ことば−画像テーブル１１３を参照し、「を飲んだ」、「ミルク」、「哺乳瓶」、「赤ちゃん」又は「飲む」と対応付けられた画像を検索する。
【００８５】
ここで、表示制御部２２５は、検索の結果、赤ちゃんの画像１０ｄを得る場合を示す。表示制御部２２５は、この赤ちゃんの画像１０ｄを「を飲んだ」に対応付けて表示する。
【００８６】
図１１Ａは、表示画像切替部２２６による「一括表示」が選択された場合の処理動作の一例を示す図である。ここでは、ことばのコンテンツとして「わたしは、朝食でミルクを飲んだ。」が選択され、図８に示す映像コンテンツが表示された後に、「一括表示」が選択された場合を示す。図１１Ａに示すように、表示画像切替部２２６は、「一括表示」が選択された場合、「わたし」及び「わたしは」に対応付けられる画像をグループ化して表示する。また、表示画像切替部２２６は、「ミルクを」、「朝食でミルクを飲んだ」及び「ミルクを飲んだ」に対応付けられる画像をグループ化して表示する。
【００８７】
図１１Ｂは、表示画像切替部２２６による「分類表示」が選択された場合の処理動作の一例を示す図である。ここでは、ことばのコンテンツとして「わたしは、朝食でミルクを飲んだ。」が選択され、図８に示す映像コンテンツが表示された後に、「分類表示」が選択された場合を示す。図１１Ｂに示すように、表示画像切替部２２６は、「分類表示」が選択された場合、「わたし」及び「わたしは」に対応付けられる写真の画像をグループ化して表示するとともに、「わたしは」に対応付けられるイラストの画像を表示する。また、表示画像切替部２２６は、「ミルクを」及び「朝食でミルクを飲んだ」に対応付けられるイラストの画像をグループ化して表示するとともに、「ミルクを飲んだ」に対応付けられる写真の画像を表示する。
【００８８】
［映像コンテンツ表示装置２００による処理手順］
次に、図１２及び図１３を用いて、第２の実施の形態に係る映像コンテンツ表示装置２００による処理手順について説明する。ここでは、図１２を用いて、第２の実施の形態に係る映像コンテンツ表示装置２００による処理手順について説明し、図１３を用いて、画像補完処理の処理手順について説明する。
【００８９】
図１２は、映像コンテンツ表示装置２００による処理手順を示すフローチャートである。なお、図１２に示すステップＳ２０１〜ステップＳ２０５は、図７に示すステップＳ１０１〜ステップＳ１０５と同様であるので、詳細な説明は省略する。図１２に示すように、表示制御部２２５は、所定の単位で区切られた文字情報それぞれに割当てられた画像を、利用者が利用する端末の表示部６２においてことばのコンテンツの近傍に表示する（ステップＳ２０６）。続いて、表示制御部２２５は、画像補完処理を実行する（ステップＳ２０７）。
【００９０】
画像補完処理の終了後、表示画像切替部２２６は、表示の切替えを受付けたか否かを判定する（ステップＳ２０８）。ここで、表示画像切替部２２６は、表示の切替えを受付けたと判定した場合（ステップＳ２０８、Ｙｅｓ）、切替えメニューが「一括表示」であるか否かを判定する（ステップＳ２０９）。表示画像切替部２２６は、切替えメニューが「一括表示」であると判定した場合（ステップＳ２０９、Ｙｅｓ）、イラストと写真とを分類せず一括して表示する（ステップＳ２１０）。一方、表示画像切替部２２６は、切替えメニューが「一括表示」であると判定しなかった場合（ステップＳ２０９、Ｎｏ）、イラストと写真とを分類して表示する（ステップＳ２１１）。なお、映像コンテンツ表示装置２００は、ステップＳ２１０又はステップＳ２１１の後、映像コンテンツの表示処理を終了する。
【００９１】
表示画像切替部２２６は、表示の切替えを受付けたと判定しなかった場合（ステップＳ２０８、Ｎｏ）、処理の終了を受付けたか否かを判定する（ステップＳ２１２）。ここで、表示画像切替部２２６は、処理の終了を受付けたと判定しなかった場合（ステップＳ２１２、Ｎｏ）、ステップＳ２０８に移行する。一方、表示画像切替部２２６は、処理の終了を受付けたと判定した場合（ステップＳ２１２、Ｙｅｓ）、映像コンテンツの表示処理を終了する。
【００９２】
（画像補完処理）
次に、図１３は、画像補完処理の処理手順を示すフローチャートである。図１３に示すように、表示制御部２２５は、画像補完処理を実行する条件を満たすか否かを判定する（ステップＳ３０１）。例えば、表示制御部２２５は、ことばのコンテンツに対応付けられた映像コンテンツに含まれる区切り情報の一つにしか画像が対応付けられていない場合に、画像補完処理を実行する。なお、表示制御部２２５が画像補完処理を実行する条件は、これに限定されるものではない。例えば、映像コンテンツに含まれる区切り情報の５０％未満にしか画像が対応付けられていない場合に、画像補完処理を実行するようにしてもよい。
【００９３】
ここで、表示制御部２２５は、画像補完処理を実行する条件を満たすと判定した場合（ステップＳ３０１、Ｙｅｓ）、画像補完処理の実行対象である映像コンテンツに含まれる画像を特定する（ステップＳ３０２）。なお、表示制御部２２５は、画像補完処理を実行する条件を満たすと判定しなかった場合（ステップＳ３０１、Ｎｏ）、画像補完処理を終了する。
【００９４】
そして、表示制御部２２５は、ことば−画像テーブル１１３を参照し、特定した画像に対応付けられた区切り情報を特定する（ステップＳ３０３）。続いて、表示制御部２２５は、補完対象である区切り情報と、特定した画像に対応付けられた区切り情報とが一致するか否かを判定する（ステップＳ３０４）。
【００９５】
ここで、表示制御部２２５は、補完対象である区切り情報と、特定した画像に対応付けられた区切り情報とが一致すると判定した場合（ステップＳ３０４、Ｙｅｓ）、ことば−画像テーブル１１３を参照し、補完対象である区切り情報と、特定した画像に対応付けられた区切り情報と対応付けられた画像を検索する（ステップＳ３０５）。なお、表示制御部２２５は、補完対象である区切り情報と、特定した画像に対応付けられた区切り情報とが一致すると判定しなかった場合（ステップＳ３０４、Ｎｏ）、画像補完処理を終了する。
【００９６】
そして、表示制御部２２５は、画像を取得できたか否かを判定する（ステップＳ３０６）。ここで、表示制御部２２５は、画像を取得できたと判定した場合（ステップＳ３０６、Ｙｅｓ）、取得した画像を補完対象である区切り情報に対応付けて表示する（ステップＳ３０７）。ステップＳ３０７の終了後、表示制御部２２５は、画像補完処理を終了する。なお、表示制御部２２５は、画像を取得できたと判定しなかった場合（ステップＳ３０６、Ｎｏ）、画像補完処理を終了する。
【００９７】
［第２の実施の形態に係る映像コンテンツ表示装置２００による効果］
上述してきたように、第２の実施の形態に係る映像コンテンツ表示装置２００は、複数の映像コンテンツを利用者に表示する。これにより、第２の実施の形態に係る映像コンテンツ表示装置２００によれば、ことばのコンテンツの利用者は、ひとつのことばのコンテンツに対して多種多様な映像コンテンツを閲覧することで、自分とは違う多種多様な読者の世界観を観賞でき、ことばのコンテンツの楽しみ方が増える。
【００９８】
（第３の実施の形態）
ところで、本願の開示する映像コンテンツ表示装置１００（２００）は、上述した実施の形態以外にも、種々の異なる形態にて実施されてよい。そこで、第３の実施の形態に係る映像コンテンツ表示装置として、本願の開示する映像コンテンツ表示装置１００（２００）の他の実施の形態について説明する。
【００９９】
［システム構成等］
本実施例において説明した各処理のうち自動的に行われるものとして説明した処理の全部または一部を手動的に行うこともできる。あるいは、手動的に行われるものとして説明した処理の全部又は一部を公知の方法で自動的に行うこともできる。この他、上記文章中や図面中で示した処理手順、制御手順、具体的名称については、特記する場合を除いて任意に変更することができる。また、図示した記憶部が格納する情報は一例に過ぎず、必ずしも図示のごとく情報が格納される必要はない。また、図示した各構成部は、機能概念的なものであり、必ずしも物理的に図示のごとく構成されていることを要しない。
【０１００】
さらに、各装置にて行われる各処理機能は、その全部または任意の一部が、ＣＰＵ及び当該ＣＰＵにて解析実行されるプログラムにて実現され、あるいは、ワイヤードロジックによるハードウェアとして実現され得る。
【０１０１】
［プログラム］
図１４は、開示の技術に係る映像コンテンツ表示プログラムによる情報処理がコンピュータを用いて具体的に実現されることを示す図である。図１４に例示するように、コンピュータ１０００は、例えば、メモリ１０１０と、ＣＰＵ（Central  Processing  Unit）１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【０１０２】
メモリ１０１０は、図１４に例示するように、ＲＯＭ（Read  Only  Memory）１０１１及びＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、図１４に例示するように、ハードディスクドライブ１０３１に接続される。ディスクドライブインタフェース１０４０は、図１４に例示するように、ディスクドライブ１０４１に接続される。例えば磁気ディスクや光ディスク等の着脱可能な記憶媒体が、ディスクドライブ１０４１に挿入される。シリアルポートインタフェース１０５０は、図１４に例示するように、例えばマウス１０５１、キーボード１０５２に接続される。ビデオアダプタ１０６０は、図１４に例示するように、例えばディスプレイ１０６１に接続される。
【０１０３】
ここで、図１４に例示するように、ハードディスクドライブ１０３１は、例えば、ＯＳ（Operating  System）１０９１、アプリケーションプログラム１０９２、プログラムモジュール１０９３、プログラムデータ１０９４を記憶する。すなわち、開示の技術に係る映像コンテンツ表示プログラムは、コンピュータによって実行される指令が記述されたプログラムモジュールとして、例えばハードディスクドライブ１０３１に記憶される。具体的には、上記実施例で説明した記憶部１１０と同様の情報処理を実行する保持ステップと、表示制御部１２５と同様の情報処理を実行する表示ステップとが記述されたプログラムモジュール１０９３が、ハードディスクドライブ１０３１に記憶される。また、上記実施例で説明した記憶部１１０に記憶されるデータのように、映像コンテンツ表示プログラムによる情報処理に用いられるデータは、プログラムデータ１０９４として、例えばハードディスクドライブ１０３１に記憶される。そして、ＣＰＵ１０２０が、ハードディスクドライブ１０３１に記憶されたプログラムモジュール１０９３やプログラムデータ１０９４を必要に応じてＲＡＭ１０１２に読み出し、保持ステップ及び表示ステップを実行する。
【０１０４】
なお、映像コンテンツ表示プログラムに係るプログラムモジュール１０９３やプログラムデータ１０９４は、ハードディスクドライブ１０３１に記憶される場合に限られず、例えば着脱可能な記憶媒体に記憶され、ディスクドライブ１０４１等を介してＣＰＵ１０２０によって読み出されてもよい。あるいは、映像コンテンツ表示プログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【０１０５】
１００  映像コンテンツ表示装置
１１０  記憶部
１２０  制御部
１２５  表示制御部
【図１】
2014089515.tif 000003
【図２】
2014089515.tif 000004
【図３】
2014089515.tif 000005
【図４】
2014089515.tif 000006
【図５】
2014089515.tif 000007
【図６Ａ】
2014089515.tif 000008
【図６Ｂ】
2014089515.tif 000009
【図６Ｃ】
2014089515.tif 000010
【図６Ｄ】
2014089515.tif 000011
【図６Ｅ】
2014089515.tif 000012
【図７】
2014089515.tif 000013
【図８】
2014089515.tif 000014
【図９】
2014089515.tif 000015
【図１０】
2014089515.tif 000016
【図１１Ａ】
2014089515.tif 000017
【図１１Ｂ】
2014089515.tif 000018
【図１２】
2014089515.tif 000019
【図１３】
2014089515.tif 000020
【図１４】
2014089515.tif 000021